(57)【要約】【課題】車両の側面衝突時における緩衝体の軸方向圧潰変形を適正に行わせて、衝突エネルギー吸収効果を高めることができる自動車の車室側壁構造の提供を図る。【解決手段】車両の側面衝突によりドアインナパネル１が車室側に変形すると、緩衝体１０の端壁１２に衝接し、衝突荷重を該端壁１２の面で受けて周側壁１１に軸方向に略均等に分散させる。緩衝体１０の軸方向に作用する衝突荷重により緩衝体１０の開放部周縁がドアトリム２の裏面に圧接すると、突当て片１５がドアトリム２の裏面に圧接して圧潰荷重がドアトリム２の面方向に分散され、緩衝体１０の開放部周縁の局部的なエッジ当りによるドアトリム２の突き破れが回避される。【選択図】図３
2010241285.tif 000002
【特許請求の範囲】
【請求項１】
車室の側壁パネルの側面を覆って装着されたトリム材の裏面に、車両の側面衝突時に衝突荷重を受けて圧潰変形することにより衝突エネルギーを吸収可能な、一側が開放した角筒状の合成樹脂製の緩衝体を固着した構造において、
前記緩衝体は、その開放部を前記トリム材の裏面に向けて該トリム材に固着され、
前記開放部の周縁部には、該開放部の径方向外側に向けて延出して、該緩衝体の圧潰変形時に前記トリム材の裏面に面接触して該トリム材の面方向に圧潰荷重を分散可能な突当て片が形成されていることを特徴とする自動車の車室側壁構造。
【請求項２】
前記突当て片が、前記緩衝体の開放部周縁の角部領域に形成されていることを特徴とする請求項１に記載の自動車の車室側壁構造。
【請求項３】
前記突当て片が、前記緩衝体の開放部周縁の角部領域で、該角部の稜線を境にして分離して形成されていることを特徴とする請求項２に記載の自動車の車室側壁構造。
【請求項４】
前記突当て片が、前記緩衝体の開放部周縁の直線部分に、隣接する角部間に亘って形成されていることを特徴とする請求項２または３に記載の自動車の車室側壁構造。
【発明の詳細な説明】
【技術分野】
【０００１】
本発明は自動車の車室側壁構造に関する。
【背景技術】
【０００２】
自動車の側面衝突時における乗員保護対策として、従来、例えば特許文献１に示されているように、サイドドアのドアトリム裏面に固着されて該ドアトリムとドアインナパネルとの間の空間部に配置され、車両の側面衝突時にその衝突荷重でドアインナパネルとドアトリムとの間で圧潰変形して衝突エネルギーを吸収する緩衝体を配設した構造が知られている。
【０００３】
前記緩衝体は合成樹脂材をもって、一側が開放した角筒状、例えば立方体ボックス形状に構成され、その開放部を前記ドアインナパネル側に向けてボックス底壁をドアトリム裏面の所要部位、例えば乗員の腰部，肩部等に対応したインパクトエリアに固着配置されていて、車両の側面衝突時にドアインナパネルが車室内側に向けて変形移動するのに伴って軸方向に圧潰変形して、衝突エネルギーを吸収しようとするものである。
【先行技術文献】
【特許文献】
【０００４】
【特許文献１】特開２００４−３３８６２７号公報
【発明の概要】
【発明が解決しようとする課題】
【０００５】
サイドドアのドアアウタパネルとドアインナパネルとで形成される閉断面空間には、ドアウィンドウレギュレータやドアガードバー、およびドアロック装置のロッド類等のドア内機能部品が組込まれており、車両の側面衝突時には衝突位置，衝突方向等により前記ドア内機能部品が不規則にドアインナパネル側に移動し、従って、前記インパクトエリアでドアインナパネルが平担面形状のまま車室側に向けて変形移動するとは限らない。
【０００６】
一方、このインパクトエリアでドアトリム裏面に固着された緩衝体は、前述のようにそのボックス形状の開放部がドアインナパネル側に向けられているため、該ドアインナパネルが不規則に変形して前記開放部の周縁部に片当りした場合には、緩衝体の軸方向に衝突荷重が適正に作用しなくなる可能性がある。
【０００７】
そこで、前記緩衝体をその開放部をドアトリム側に向けて該ドアトリムに固着することも考えられるが、前記側面衝突時に緩衝体にその軸方向に衝突荷重が作用した際に、前記開放部の周縁部、とりわけ、方形周縁の剛性の高い角部でドアトリムが突き破れて、この場合も緩衝体の適正な圧潰変形が行われなくなる可能性がある。
【０００８】
そこで、本発明は車両の側面衝突時に緩衝体の軸方向に適正に衝突荷重を作用させることができると共に、該緩衝体の圧接によるトリム材の突き破れを回避できて、該緩衝体を軸方向に適正に圧潰変形させることができる自動車の車室側壁構造を提供するものである。
【課題を解決するための手段】
【０００９】
本発明の自動車の車室側壁構造にあっては、車室の側壁パネルの側面を覆って装着されたトリム材の裏面に、車両の側面衝突時に衝突荷重を受けて圧潰変形することにより衝突エネルギーを吸収可能な、一側が開放した角筒状の合成樹脂製の緩衝体を固着した構造において、前記緩衝体はその開放部を前記トリム材の裏面に向けて該トリム材に固着され、前記開放部の周縁部には、該開放部の径方向外側に向けて延出して、該緩衝体の圧潰変形時に前記トリム材の裏面に面接触して該トリム材の面方向に圧潰荷重を分散可能な突当て片が形成されていることを主要な特徴としている。
【００１０】
前記緩衝体の端壁が前記車室の側壁パネルに対向するため、車両の側面衝突時に該側壁パネルが変形移動すると、この端壁に衝接して衝突荷重を該端壁の面方向で受け、緩衝体の周側壁に軸方向に略均等に分散させる。これにより、緩衝体がその軸方向に整然と圧潰変形するようになる。
【００１１】
前記緩衝体に軸方向に衝突荷重が作用した際には、該緩衝体の開放部の周縁がトリム材の裏面に圧接するが、このとき、該開放部の周縁部の突当て片がトリム材の裏面に面接触するので、緩衝体の圧潰荷重がトリム材の面方向に分散され、緩衝体の開放部周縁の局部的なエッジ当りによるトリム材の突き破れが回避される。
【発明の効果】
【００１２】
本発明によれば、車両の側面衝突時に車室の側壁パネルが車室側に向けて不規則に変形した場合でも、緩衝体の端壁がこれを面で受けて衝突荷重を周側壁にその軸方向に略均等に分散させることができる。そして、この衝突荷重により緩衝体の開放部の周縁がトリム材の裏面に圧接するが、該開放部の周縁部の突当て片がトリム材に面接触して前記緩衝体の圧潰荷重がトリム材の面方向に分散されて、該開放部周縁の局部的なエッジ当りによるトリム材の突き破れが回避されるため、前記緩衝体の周側壁に衝突荷重が軸方向に適正に作用することと相俟って、該緩衝体を軸方向に整然と圧潰変形させて衝突エネルギー吸収作用を適正に行わせることができる。
【図面の簡単な説明】
【００１３】
【図１】本発明を自動車のサイドドアに適用した例におけるドアトリムを示す側面図。
【図２】緩衝体を示す斜視図。
【図３】図２のＡ−Ａ線に相当する断面図。
【図４】緩衝体の第１変形例を示す斜視図。
【図５】緩衝体の第２変形例を示す斜視図。
【図６】緩衝体の第３変形例を示す斜視図。
【図７】緩衝体の第４変形例の要部を示す断面図。
【発明を実施するための形態】
【００１４】
以下、本発明の一実施形態を自動車のサイドドアを例に採って図面と共に詳述する。
図１〜図３に示すように、サイドドアのドアインナパネル１は車室の側壁パネルの一部を構成し、車室側の側面にはトリム材としてのドアトリム２が装着されている。
【００１５】
このドアトリム２は、適宜の合成樹脂材をもって射出成形されていて、車室側の側面にはクッションと表装を兼ねた表皮が貼合配設され、その上下方向中間部分にドアアームレスト３が車室側に向けて膨出成形されていると共に、下側部にドアポケット４が形成されている。
【００１６】
また、前記ドアトリム２の所要部位には、エラストマー樹脂等からなる高衝撃吸収性能を持つ緩衝体１０が配設されている。
【００１７】
前記緩衝体１０は、一側が開放した角筒状、例えば四角筒状に形成されていて、車両の側面衝突時に前記ドアインナパネル１とドアトリム２との間で車幅方向に衝突荷重を受けると圧潰変形して、衝突エネルギーを吸収するものである。
【００１８】
具体的には、前記緩衝体１０はその周側壁１１を横向きにして前記ドアインナパネル１とドアトリム２との間の空間部に配置され、前記衝突荷重に対して軸方向に圧潰変形することにより衝突エネルギーを吸収するもので、この衝突エネルギー吸収特性は緩衝体１０の前記軸方向の変形ストロークと変形反力とによって一義的に定められる。
【００１９】
この実施形態では、図２にも示すように前記緩衝体１０の周側壁１１と端壁１２とが連設した径方向の稜線ａと、該周側壁１１の軸方向の稜線ｂとが集合したコーナー部分にカット部１３を形成し、前記緩衝体１０の圧潰初期反力の急激な立上がりを抑制すると共に、該緩衝体１０の圧潰変形に前記カット部１２を起点とした周側壁１１の軸方向稜線ｂの亀裂が伴うことによって、衝突初期から後期に亘って良好な衝突エネルギー吸収作用が得られるようにしている。
【００２０】
そして、前記緩衝体１０はその一側開放部をドアトリム２の裏面に向けて、該開放部周縁がドアトリム２裏面に当接または近接した状態で該ドアトリム２に固着されている。
【００２１】
この緩衝体１０のドアトリム２裏面への固着手段としては、例えば、図２，図３に示すように周側壁１１の前，後壁に前記開放部の周縁近傍にブラケット片１４を張り出して形成する一方、ドアトリム２の裏面には前記ブラケット片１４に対応して取付座部５とピン６とを一体成形し、このピン６に前記ブラケット片１４に設けられた挿通孔１４ａを挿通し、ピン６の突出端を熱カシメすることによってこれらブラケット片１４と取付座部５とを結合する構造が採用されている。
【００２２】
また、前記緩衝体１０の開放部の周縁部には、該開放部の径方向外側に向けて延出して、該緩衝体１０の前記圧潰変形時にドアトリム２の裏面に面接触して、該ドアトリム２の面方向に圧潰荷重を分散可能な突当て片１５が一体成形されている。
【００２３】
本実施形態では、前記突当て片１５は緩衝体１０の開放部周縁の角部領域、即ち、周側壁１１の軸方向稜線ｂを境に隣接する側壁で構成される隅角部の領域に形成されている。
【００２４】
以上の構成からなる本実施形態の車室側壁構造によれば、車両の側面衝突時にドアインナパネル１が車室側に向けて不規則に変形した場合でも、前記緩衝体１０の端壁１２がドアインナパネル１に対向しているため、該端壁１２がこの変形移動するドアインナパネル１を面で受けて、即ち、衝突荷重を端壁１２面で受けて、該衝突荷重を周側壁１１にその軸方向に略均等に分散させることができる。
【００２５】
そして、この衝突荷重により緩衝体１０の開放部の周縁がドアトリム２の裏面に圧接するが、該開放部の周縁部の突当て片１５がドアトリム２の裏面に面接触して緩衝体１０の圧潰荷重がドアトリム２の面方向に分散されて、該開放部周縁の局部的なエッジ当りによるドアトリム２の突き破れが回避される。
【００２６】
これにより、前記緩衝体１０の周側壁１１に衝突荷重が軸方向に適正に作用することと相俟って、該緩衝体１０を軸方向に整然と圧潰変形させて衝突エネルギー吸収作用を適正に行わせることができる。
【００２７】
ここで、前記緩衝体１０の周側壁１１は、その一般壁部に比較して各隣接する壁部が連設した軸方向稜線ｂ部分の軸方向剛性が高く、従って、前述のように該緩衝体１０が軸方向に圧潰変形した場合に、開放部周縁の前記軸方向稜線ｂに対応した角部領域では、ドアトリム２に作用する圧潰荷重が局部的に高くなる傾向にある。
【００２８】
一方、本実施形態では前述のように、前記突当て片１５はこの緩衝体１０の開放部周縁の角部領域に設けられているので、該突当て片１５によってドアトリム２の前記角部領域に対応した部分に作用する圧潰荷重を、該ドアトリム２の面方向に広く分散させることができて、ドアトリム２の突き破れを確実に回避することができる。
【００２９】
図４は前記緩衝体１０の第１変形例を示すもので、この第１変形例にあっては前記実施形態における突当て片１５が、前記開放部周縁の角部領域で、該角部の稜線、即ち、前記軸方向稜線ｂを境にして分離して形成されている。
【００３０】
前記緩衝体１０が軸方向に圧潰変形する際には、該緩衝体１０の周側壁１１と端壁１２とでなすコーナー部のカット部１３を起点として前記軸方向稜線ｂの亀裂を伴い易くされていて、前記圧潰変形にこの軸方向稜線ｂの亀裂が伴うことで、緩衝体１０の圧潰初期反力の急激な立上がりを抑制した上で、衝突初期から後期に亘る全範囲で良好な衝突エネルギー吸収作用を行わせることができるが、このとき、前述のように突当て片１５が前記角部領域で、軸方向稜線ｂを境にして分離して形成されていることにより、該突当て片１５が軸方向稜線ｂの亀裂の妨げとなることがなく、設計通りの衝突エネルギー吸収作用を行わせることができる。
【００３１】
図５は前記緩衝体１０の第２変形例を示すもので、この第２変形例にあっては、例えば前記第１変形例における突当て片１５の先端部分にドアトリム２の裏面に線接触または点接触して当接する接触子１６が形成されている。
【００３２】
この変形例にあっては、突当て片１５の先端部分に略三角形状の先細りの曲折片１５ａを一体成形して接触子１６としているが、この他、図示は省略したが突当て片１５の先端縁に玉縁を一体成形して接触子１６としてもよい。
【００３３】
従って、この第２変形例にあっては、緩衝体１０のドアトリム２裏面への組付け状態では、前記接触子１６が線接触または点接触により該ドアトリム２の裏面に強接触して、突当て片１５がドアトリム２裏面から若干離間状態となるため、車両の走行時振動による突当て片１５のバタツキを抑えて、異音の発生を防止することができる。
【００３４】
このように、前記接触子１６は車両の走行時振動による突当て片１５のバタツキを抑制する機能を有し、従って、該接触子１６は前記突当て片１５の全てに形成してもよいが、図５に示す変形例のように特に車両の上下振動によりバタツキが懸念される開放部上，下縁の突当て片１５に設けるのみでも十分に異音発生防止効果を得ることができる。
【００３５】
図６は前記緩衝体１０の第３変形例を示すもので、この第３変形例にあっては、前記実施形態における突当て片１５が、緩衝体１０の開放部周縁の直線部分に、隣接する角部間に亘って形成されている。
【００３６】
この図６に示す変形例にあっては、前記第１変形例に示した緩衝体１０の開放部周縁の上，下縁に各前後の角部間に亘って突当て片１５が直線部分に沿って一体成形されている。
【００３７】
前記ドアトリム２における着座乗員の腰部側方に対応するインパクトエリアは、車両の側面衝突時における衝突入力位置よりも低く、従って、本変形例のように緩衝体１０の開放部周縁の上下縁に、前後の角部間に亘って直線部分に亘って突当て片１５が長大に形成されることにより、斜め上方から作用する衝突入力に対して、これら開放部上下縁の長大な突当て片１５によるドアトリム２の面方向への荷重分散効果が高められ、開放部上下縁によるドアトリム２の突き破れ防止効果を高めることができる。
【００３８】
また、車両の側面衝突は、相手車両が自車の斜め前方から衝突して衝突入力が斜め前方から作用する傾向が多いことから、図６に示す変形例のように、前記上縁側の突当て片１５の略前半部分の上下成形幅を広く設定すれば、斜め前方かつ上方からの衝突入力に対して、ドアトリム２の面方向への荷重分散をより一層有効に行わせることが可能である。
【００３９】
図７は前記緩衝体１０の第４変形例を示すもので、この第４変形例にあっては前記第１，第３変形例における突当て片１５が、その端末側がドアトリム２の裏面からドアトリム２と反対側に向けて斜状に延出成形されている。
【００４０】
このように、突当て片１５がドアトリム２の裏面から斜状に離間配置されることにより、車両の側面衝突時に前記インパクトエリアで着座乗員の腰部でドアトリム２が反力を受けて、該ドアトリム２が車幅方向外側に向けて撓み変形して該斜状の突当て片１５に圧接した場合に、該突当て片１５の傾斜により緩衝体１０の開放部周縁に拡開方向の分力が作用し易く、これにより前記軸方向稜線ｂの亀裂発生を促して、圧潰変形時における反力増大抑制効果を高めることができる。
【００４１】
なお、前記実施形態ではドアトリム２における着座乗員の腰部に対応したインパクトエリア裏面に緩衝体１０を配設した例を示したが、この他、リヤサイドトリムにおける着座乗員の腰部およびまたは肩部に対応したインパクトエリア裏面に緩衝体１０を配設して、前述と同様の効果を得ることができる。
【００４２】
また、緩衝体１０として四角筒状のものを示したが、この他の多角筒状に形成することも可能である。
【符号の説明】
【００４３】
１  ドアインナパネル（車室の側壁パネル）
２  ドアトリム（トリム材）
１０  緩衝体
１１  周側壁
１２  端壁
１５  突当て片
ｂ  周側壁の軸方向稜線
【図１】
2010241285.tif 000003
【図２】
2010241285.tif 000004
【図３】
2010241285.tif 000005
【図４】
2010241285.tif 000006
【図５】
2010241285.tif 000007
【図６】
2010241285.tif 000008
【図７】
2010241285.tif 000009